(57)【要約】【課題】トンネル等の壁面に板状外装材をタイトにかつ確実に取り付け得、一部に損傷が生じた場合に、その一部の板状外装材のみの交換を容易に行い得ること。【解決手段】後部直立板部１、その上端から前方に延びる両側の載置片２、２、後部直立板部１の下端から前方に延びる上端規制片３、その前端両側から垂下する前部規制片４、４、上端規制片３の両側の前部から立ち上がる二つの固定片５、５及び後部直立板部１に構成した壁面に取付用の取付手段６からなる金具本体７と、両側の載置片２、２の後部側に開口した上部取付スリット２ｓ、２ｓ及び上端規制片３の後部両側に開口した下部取付スリット３ｓ、３ｓに差し込む背面支持片８、８と、両側の固定片５、５に着脱自在に固定する取付片９ａ、その上端から前方に延びる延長部９ｂ及び延長部を介して立ち上げた両側の前部抑え片９ｃ、９ｃからなる前側抑え部材９と、で構成したものである。【選択図】  図１
2014077250.tif 000002
【特許請求の範囲】
【請求項１】
後部直立板部の上端から各々前方に延びる、左右両側の上方の板状外装材を載置するための両側の載置片と、
前記後部直立板部の下端から前方に延び、左右両側の下方の板状外装材の上端上に位置する上端規制片と、
前記上端規制片の前端左右から各々垂下し、左右両側の下方の板状外装材の上部を前方に倒れないように規制する両側の前部規制片と、
前記両側の載置片の後部側に開口した上部取付スリット及びこれに上下対応する位置関係で前記上端規制片の後部側に開口した下部取付スリットにそれぞれ差し込み固定する、板状外装材の背面支持片であって、該両側の載置片上に立ち上がる部位には、該両側の載置片上に載置される左右両側の板状外装材の背面を弾力的に支持する上側バネ片を配置し、該上端規制片の両側下方に垂下する部位には、該上端規制片の両側下方に位置する各板状外装材の背面を弾力的に支持する下側バネ片を配置した背面支持片と、
前記上端規制片の両側の前記背面支持片より前方の部位から各々立ち上がる、前側抑え部材の取付片を取付固定するための固定片であって、それらの上端が前記両側の載置片の直下に位置する固定片と、
前記両側の固定片に着脱自在に固定する前記取付片及びその上端から前方に延びる延長部を介して立ち上げた左右両側の前部抑え片からなる前記前側抑え部材であって、該左右両側の前部抑え片が左右両側の上方の板状外装材の下部の前側をそれぞれ規制するものである前側抑え部材と、
前記後部直立板部に構成したトンネルの内壁面に直接又は間接に取り付けるための取付手段と、
で構成した板状外装材の取付金具。
【請求項２】
前記前側抑え部材の中央部の上端に、その両側の前部抑え片が前方への動きを規制する左右両側の上方の板状外装材の間隔を規制すべく、その間に延びる間隙規制片を構成した請求項１の板状外装材の取付金具。
【発明の詳細な説明】
【技術分野】
【０００１】
本発明は、建造物の壁面、例えば、トンネルの内壁面等にタイル等のプレート部材又は複数のプレート部材を固設したパネル類（複合パネル）等の板状外装材を取り付けるために使用する板状外装材の取付金具に関する。
【背景技術】
【０００２】
このような板状外装材の取付金具は、タイルや複合パネル等の板状外装材を、例えば、その一部を抱持し又は引っ掛ける等により支持しながら壁面に設置することにより、板状外装材による壁面を構成するものである。このような板状外装材の取付金具によれば、接着剤でこれらの板状外装材をトンネルの内壁面等の下地面に接着固定するのと比べると、接着剤の劣化に起因するその剥離落下の虞が無い利点がある。これは、自動車がその中を通行するトンネル等では安全性の観点から極めて重要なことである。
【０００３】
このように板状外装材の取付金具には、極めて重要な点で接着剤を用いる場合に比較して優れた点を有するが、それぞれの間に類似する問題点を有することもある。例えば、板状外装材の取付金具を用いて構成した壁面の一部に損傷が生じた場合は、該板状外装材がケンドン式のような余裕のある取り付け方の場合を除いて、その一部の板状外装材を取り除き、新たな板状外装材と交換することはできない。従って、勿論、取付金具をケンドン式で板状外装材を支持するものとすれば、これは解消する訳であるが、ケンドン式とした場合には、大きな地震その他の振動又は揺動を受けた場合にその振動又は揺動等により、板状外装材が外れてしまう虞があり、また外れないまでも振動等で無用に動き、それに起因して板状外装材に損傷が生じる虞もある。従ってケンドン式を回避し、板状外装材をタイトに支持して壁面に取り付けることが好ましい。そしてそのようにタイトに取り付ける場合には、前記のような一部の板状外装材の交換が容易でなくなる問題があり、この問題を解消することが望まれる。
【０００４】
その他、板状外装材の取付金具の際だった問題というのではないが、一般的に、このような板状外装材の取付金具でも、より小型化すること、また小型でありながらもより高い支持力を有するものとすること等が望まれるものでもある。さらには、板状外装材の取付金具それ自体について、その損傷を生じやすい部分の交換ができるものであること等も望まれる。
【先行技術文献】
【特許文献】
【０００５】
【特許文献１】特開２００８−２０２２５５号公報
【特許文献２】特開２００８−２９１５４９号公報
【特許文献３】特開２０１１−０３８３２７号公報
【特許文献４】特開２０１１−２１４３９０号公報
【特許文献５】特開２００８−１９０２９５号公報
【特許文献６】特開２００３−２７８４９２号公報
【発明の概要】
【発明が解決しようとする課題】
【０００６】
本発明は、トンネルの内壁面に、板状外装材をタイトにかつ確実に取り付けうると共に、交通事故その他に起因して一部の板状外装材に損傷が生じた場合には、その一部の板状外装材のみの交換を容易に行うことが可能な板状外装材の取付金具を提供すること、更にまたそれ自体をより小型化しつつより高い支持力を確保すると共に、それ自体の損傷の生じやすい部位、若しくはより劣化しやすい部位の交換が可能である構成の板状外装材の取付金具を提供することを解決の課題とするものである。
【課題を解決するための手段】
【０００７】
本発明の１は、後部直立板部の上端から各々前方に延びる、左右両側の上方の板状外装材を載置するための両側の載置片と、
前記後部直立板部の下端から前方に延び、左右両側の下方の板状外装材の上端上に位置する上端規制片と、
前記上端規制片の前端左右から各々垂下し、左右両側の下方の板状外装材の上部を前方に倒れないように規制する両側の前部規制片と、
前記両側の載置片の後部側に開口した上部取付スリット及びこれに上下対応する位置関係で前記上端規制片の後部側に開口した下部取付スリットにそれぞれ差し込み固定する、板状外装材の背面支持片であって、該両側の載置片上に立ち上がる部位には、該両側の載置片上に載置される左右両側の板状外装材の背面を弾力的に支持する上側バネ片を配置し、該上端規制片の両側下方に垂下する部位には、該上端規制片の両側下方に位置する各板状外装材の背面を弾力的に支持する下側バネ片を配置した背面支持片と、
前記上端規制片の両側の前記背面支持片より前方の部位から各々立ち上がる、前側抑え部材の取付片を取付固定するための固定片であって、それらの上端が前記両側の載置片の直下に位置する固定片と、
前記両側の固定片に着脱自在に固定する前記取付片及びその上端から前方に延びる延長部を介して立ち上げた左右両側の前部抑え片からなる前記前側抑え部材であって、該左右両側の前部抑え片が左右両側の上方の板状外装材の下部の前側をそれぞれ規制するものである前側抑え部材と、
前記後部直立板部に構成したトンネルの内壁面に直接又は間接に取り付けるための取付手段と、
で構成した板状外装材の取付金具である。
【０００８】
本発明の２は、本発明の１の板状外装材の取付金具において、
前記前側抑え部材の中央部の上端に、その両側の前部抑え片が前方への動きを規制する左右両側の上方の板状外装材の間隔を規制すべく、その間に延びる間隙規制片を構成したものである。
【発明の効果】
【０００９】
本発明の１の板状外装材の取付金具によれば、トンネルの内壁面に、タイル等のプレート部材又は複数のプレート部材を固設したパネル類（複合パネル）等の板状外装材を地震時等でも無用に動くことのないようにタイトに取り付け可能であり、交通事故その他の何らかの事情で一部の板状外装材に損傷が生じた場合には、その板状外装材のみの交換も容易に行うことができる。また前記載置片に掛かる板状外装材の荷重が、地震等の振動又は揺動により拡大されることになっても、これに起因する該載置片の変形等を回避することができる。
【００１０】
板状外装材は、前記のように、本発明の１の板状外装材の取付金具を介してトンネルの内壁面に取り付ける。そのため、まず初めに、トンネルの内壁面に本発明の１の板状外装材の取付金具を取り付ける。取付位置は、縦横に配列する対象の板状外装材の目地予定位置のうちの交差状となる部分とする。この取付金具は、内壁面に直接に又は何らかの介在部材を介して取り付ける。その上で、板状外装材を配列予定に従って配し、その四隅を目地予定位置の交差状となる部分に配した取付金具で支持する。
【００１１】
該板状外装材の右上隅は、右上隅の目地予定位置の交差状部分に位置する取付金具の上端規制片の左側部分、対応する前部規制片及び背面支持片の該当部位で囲まれる空間に装入し、該板状外装材の左上隅は、左上隅の目地予定位置の交差状部分に位置する取付金具の上端規制片の右側部分、対応する前部規制片及び背面支持片の該当部位で囲まれる空間に装入し、該板状外装材の右下隅は、右下隅の目地の交差状部分に位置する取付金具の左側の載置片上に載置し、左下隅は左下隅の目地の交差状部分に位置する取付金具の右側の載置片上に載置する。該板状外装材の右下隅及び左下隅はいずれも前記背面支持片の該当部位の直前で載置片上に載置する。
【００１２】
その後、更に、右下隅及び左下隅の各取付金具には、それらに配した固定片に取付片を介して前記前側抑え部材を取り付け、該板状外装材の右下隅及び左下隅の前面側をそれぞれ該前側抑え部材の対応する側の前部抑え片で抑え、それらの部位を前記載置片上に固定する。以上において、該板状外装材の左右上隅の背面側は、前記各背面支持片の上端規制片の下方側の部位に配した下側バネ片で弾力的に支持され、該板状外装材の左右下隅の背面側は、前記各背面支持片の前記載置片の上方側の部位に配した上側バネ片で弾力的に支持され、それぞれ緩みのない支持が得られるようになっている。
【００１３】
なお、各取付金具は、以上のように、右側の板状外装材の左下隅及び左側の板状外装材の右下隅をその二つの載置片にそれぞれ載置し、一つの前側抑え部材で同時にその二つの載置片上に固定するものである。従って、言うまでも無く、以上において、前側抑え部材を取り付けるのは、対象の取付金具の二つの載置片に両隣の二つの板状外装材の対応する左下隅と右下隅とを載置した上で行うべきであり、それ故、この取付金具を用いた板状外装材の取り付け作業は、順次横方向に行い、横方向の一列が完了した後、上方又は下方の他の一列の取り付けを実行するようにするのが適当である。そして、以上のような取り付け作業を繰り返して板状外装材を配列固定してゆけば、トンネルの内壁面への板状外装材の全取り付けを完了させることができる。
【００１４】
なおまた、多数の板状外装材からなる配列面の最上部、最下部、左端又は右端においては、板状外装材の四隅の取り付けは、全て、本発明の１の板状外装材の取付金具をそのまま用いて行うことも可能であるが、それらの部位の取り付けに当たっては、それらの位置により、両上隅又は両下隅、若しくは左右のいずれかの側部上下隅の取付金具の構成要素に不要な要素があるので、それらの不要な要素を備えない取付金具を用いて行うのが適当である。例えば、最上部に位置する板状外装材の右上隅及び左上隅を支持する取付金具においては、その背面支持片の載置片の上方に突出する部位は、それらが背面を支持すべき板状外装材がその位置にはないので不要であり、かつ同様の理由から前側抑え部材も不要である等であり、これらの部位には、それらを備えない取付金具を使用するのが適当である。
【００１５】
以上のようにして取付金具により配列固定した板状外装材は、前記したように、それぞれ弾力的にではあるが、タイトに支持される。従って地震等の振動を受けた場合であっても、板状外装材の四隅が取付金具中で上下左右にみだりに大きく動いてしまうようなことはない。当然、この動きに起因して取付金具から外れてしまうとか、板状外装材の位置関係にずれが生じるというような問題も生じない。
【００１６】
また、前記したように、前記載置片に掛かる板状外装材の荷重が、地震等の振動又は揺動、若しくは大型車両の通過に起因する振動又は揺動等により瞬間的に拡大されることがありうるが、そのよう場合にも、該載置片の下方には、前記固定片が立ち上げてあり、その上端で該載置片を支えることができるため、これに起因する該載置片の変形等の問題の発生を回避することができる。
【００１７】
更に板状外装材は、前記のように、取付金具により、弾力的かつタイトに支持されるものであるが、交通事故その他の何らかの事情で、内壁面に配列固定された多数の板状外装材のうちの一部に損傷を生じた場合には、容易にその一部の板状外装材のみを取り外して新たな板状外装材と交換をすることができる。
【００１８】
まず、該当する板状外装材の右下隅及び左下隅を支持する各取付金具の前側抑え部材を取り外すことにより、該板状外装材の右下隅及び左下隅を該当する取付金具の載置片上から離脱させ、引き続いてその板状外装材を下方に引くことにより、その右上隅及び左上隅を、各々該当する位置の取付金具の上端規制片、前部規制片及び背面支持片の該当部位で囲まれる空間から引き抜き、該板状外装材の四隅を対応する目地交差部に位置する取付金具から取り外すことができる。
【００１９】
損傷した板状外装材を取り外した跡への新しい板状外装材の取付は、云うまでもなく、以上の取り外しと逆の操作を行えばよい。
まず新しい板状外装材の左右上隅を、持ち上げつつ、それぞれ対応する、取り外した右上隅の取付金具の上端規制片の左側、左側の前部規制片及び背面支持片の該当部位で囲まれる空間、又は左上隅の取付金具の上端規制片の右側、右側の前部規制片及び背面支持片の該当部位で囲まれる空間に装入し、引き続いて左右下隅を、それぞれ対応する、取り外した右下隅の取付金具の左側の載置片上、又は左下隅の取付金具の右側の載置片上に載置する。そうした上で、右下隅及び左下隅の各取付金具には、それらの固定片に取付片を介して前側抑え部材を取り付け、該板状外装材の右下隅及び左下隅の前面側をそれぞれ該前側抑え部材の対応する側の前部抑え片で抑える。こうして損傷した板状外装材を取り除いた部位には、容易に新たな板状外装材を取り付けることができる。
【００２０】
なお、この板状外装材の取付金具は、交通事故等で自動車等が板状外装材に強く接触した場合に該板状外装材を介して大きな荷重を受けることがある。そのような場合に、取付金具は、特にその背面支持片に損傷を生じる虞があるが、この背面支持片は、前記載置片及び前記上端規制片に上部取付スリット及び下部取付スリットを介して着脱自在に取り付けたものであり、そのように損傷を生じた場合には、取付金具全体ではなく、それのみの交換をすることが可能である。なお、また、このように、背面支持片を別体に構成したことにより、その切り起こし等の必要がなくなり、この取付金具を小型化し得たものでもある。
【００２１】
また本発明の２の板状外装材の取付金具によれば、該取付金具で支持する上方両側の板状外装材の間の間隔を正確に規制することができる。またこれによって地震等の際にも無用に左右方向に振動移動してしまうことを回避することができる。
【図面の簡単な説明】
【００２２】
【図１】前側抑え部材を取り外した状態の一実施例の取付金具の正面図。
【図２】(a)は前側抑え部材を取り外した状態の一実施例の取付金具の平面図、(b)は図１のＡ−Ａ線断面図。
【図３】(a)は前側抑え部材を取り外した状態の一実施例の取付金具の右側面図、(b)は前側抑え部材を取り付けた状態の右側面図。
【図４】(a)は一実施例の後部直立板部、載置片、上端規制片、前部規制片及び固定片からなる部材の右側面図、(b)は平面図、(c)は(b)のＢ−Ｂ線断面図。
【図５】(a)は一実施例の上側バネ片及び下側バネ片を備えた背面支持片の正面図、(b)は右側面図。
【図６】(a)は一実施例の前側抑え部材の正面図、(b)は右側面図、(c)は平面図。
【図７】一実施例の取付金具を用いてタイルをトンネルの内壁面に縦横に配列固定した状態の正面図。
【図８】(a)は一実施例の取付金具を用いてタイルをトンネルの内壁面に縦横に配列固定した状態の拡大一部切欠正面図、(b)は拡大一部切欠右側面断面図。
【図９】(a)はトンネル内壁面に配列した最上部のタイルを固定する状態を示す最上部用取付金具の拡大正面図、(b)はその右側面断面図、(c)はトンネル内壁面に配列した最上部及び最下部以外のタイルを固定する状態を示す取付金具の拡大正面図、(d)はその右側面断面図。
【図１０】(a)はトンネル内壁面に配列した最下部のタイルを固定する状態を示す最下部用取付金具の拡大正面図、(b)はその右側面断面図。
【図１１】一実施例の最上部用取付金具の正面図。
【図１２】一実施例の最上部用取付金具の平面図。
【図１３】一実施例の最上部用取付金具の右側面図。
【図１４】(a)は最上部用の背面支持片の正面図、(b)はその右側面図。
【図１５】前部抑え片を取り外した状態の一実施例の最下部用取付金具の正面図。
【図１６】前部抑え片を取り外した状態の一実施例の最上部用取付金具の平面図。
【図１７】前部抑え片を取り外した状態の一実施例の最上部用取付金具の右側面図。
【図１８】(a)は最下部用の背面支持片の正面図、(b)はその右側面図。
【発明を実施するための形態】
【００２３】
発明を実施する形態を、一実施例に基づいて図面を参照しながら説明する。
【００２４】
この実施例の板状外装材の取付金具は、図１〜図６に示すように、基本的に、後部直立板部１、その上端から前方に延びる左右両側の載置片２、２、該後部直立板部１の下端から前方に延びる上端規制片３、該上端規制片３の前端左右両側から各々垂下する前部規制片４、４、前記上端規制片３の左右両側の前部から立ち上がる二つの固定片５、５及び前記後部直立板部１に構成した建物躯体に取り付けるための取付手段６からなる金具本体７と、
前記両側の載置片２、２の各々後部側に開口した上部取付スリット２ｓ、２ｓ及び前記上端規制片３の後部両側に開口した下部取付スリット３ｓ、３ｓに差し込み固定する背面支持片８、８と、
前記両側の固定片５、５に着脱自在に固定する取付片９ａ及びその上端から前方に延びる延長部９ｂを介して立ち上げた左右両側の前部抑え片９ｃ、９ｃからなる前記前側抑え部材９と、
で構成したものである。
【００２５】
前記金具本体７の後部直立板部１、載置片２、２及び上端規制片３等の全構成要素は、この実施例では、ステンレススチールの板材を打ち抜き加工及び曲げ加工等をすることによって一体に構成したものである。
【００２６】
前記後部直立板部１は、図１〜図４に示すように、横長の長方形状の板状部材であり、その長さ方向中央部には、前記取付手段６を構成してある。該取付手段６は、該後部直立板部１の長さ方向中央部で上端から上方に直立状態に延長した取付板部６ａと、該取付板部６ａと該後部直立板部１との連続する領域に開口した縦長の結合長孔６ｂと、該結合長孔６ｂの下部両側に開口した結合小孔６ｃ、６ｃとで構成したものである。
【００２７】
なお、以上の結合長孔６ｂは、例えば、これを通じて、トンネルの内壁面１１に開口した下孔１１ｈにアンカーボルト１２を打ち込み拡張させて固定する等により、金具本体７を直接にトンネルの内壁面１１に取り付けるために使用するものであり、前記結合小孔６ｃ、６ｃは、後部直立板部１の背面に接合した介在部材と金具本体７とを結合すべく、ビスをねじ込むための開口部であり、該介在部材を介してトンネルの内壁面１１に取り付けるために使用する構成要素である。
【００２８】
前記載置片２は、図１〜図４に示すように、前記後部直立板部１の左右両側の上端から各々前方に延びる板状の部材であり、各載置片２、２は、それぞれ左右両側の上方の板状外装材、この実施例では、左右両側の大型のタイルＴ、Ｔのうち、それぞれ対応する側のそれを載置するための部材である。またこの載置片２、２には、図４(a)〜(c)に示すように、それぞれその後部側に、前記上部取付スリット２ｓを上下貫通状態に開口してある。これらの上部取付スリット２ｓ、２ｓは、いずれも前記背面支持片８を装入するためのスリット状開口部であり、該背面支持片８を該上部取付スリット２ｓ、２ｓの縁部で係止すべく、該背面支持片８の上部の幅より若干短いが、上部より下方の部位の幅より僅かに長い長さを有し、かつ該背面支持片８の厚さを僅かに越える幅を有する開口部に構成したものである。すなわち、後述するように、該背面支持片８は、上部が幅広で、それより下方が幅狭に構成してあり、これを下部側から該上部取付スリット２ｓに装入した場合に、該背面支持片８は、その幅広の部分と幅狭の部分との段差部で該上部取付スリット２ｓの縁部に係止するようになっているものである。
【００２９】
前記上端規制片３は、図１〜図４に示すように、前記後部直立板部１の下端の全範囲から前方に延長状態に構成した板状部材であり、その左右の各領域で、左右両側の下方の板状外装材、この実施例では、左右両側の下方の大型のタイルＴ、Ｔの上端をそれぞれそれ以上、上昇しないように規制する部材である。またこの上端規制片３には、図２(b)及び図４(a)〜(c)に示すように、その後部側に、前記載置片２、２に開口した上部取付スリット２ｓ、２ｓと上下対応させて下部取付スリット３ｓ、３ｓを上下貫通状態に開口してある。これらの下部取付スリット３ｓ、３ｓは、いずれも前記背面支持片８の下部を装入するためのスリット状開口部であり、該背面支持片８の中部及び下部の部位の幅及び厚さを僅かに越える長さ及び幅に形成したものである。
【００３０】
なお、以上の下部取付スリット３ｓ、３ｓは、特に図２(b)及び図４(c)に示すように、その前側の縁に、前記固定片５、５を切り起こすために構成した方形の開口部と連続状態になっているが、同図に示すように、その長さが、該方形の開口部の横巾より長いので、前記背面支持片８の下部の装入係止に不都合は生じない。
【００３１】
前記前部規制片４、４は、図１〜図４に示すように、前記上端規制片３の両側前端から各々垂下する板状の手段であり、左右両側の下方の板状外装材、この実施例では、左右両側の下方の大型のタイルＴ、Ｔの上部側が前方に倒れないように規制する板状の手段である。該前部規制片４、４は、以上のように、上端規制片３の前端両側から垂下するものであるが、より具体的には、概ね、上方の載置片２、２にほぼ対応させた位置関係で、前記上端規制片３の前端から垂下させるものとする。
【００３２】
前記二つの固定片５、５は、図１〜図４に示すように、各々前記上端規制片３の前部両側から立ち上がる長方形状の板状部材であり、それらの上端が各々前記載置片２、２の前部側直下にまで到達している高さの部材である。それぞれは、前記したように、該上端規制片３を切り起こして構成したものであり、その切り起こしによって形成される方形の開口部が、前記したように、この上端規制片３の後部両側に開口した下部取付スリット３ｓ、３ｓに連続状態となっている。
【００３３】
またこの二つの固定片５、５には、図１〜図４に示すように、そのほぼ中央部付近に取付孔５ｈが開口してあり、これを利用して、前記前側抑え部材９の取付片９ａと連結できるようになっている。
【００３４】
前記取付手段６は、前記し、図１〜図４に示すように、前記後部直立板部１の長さ方向中央部にその上端から延長状態に立ち上げた取付板部６ａと、該取付板部６ａと該後部直立板部１との連続する領域に開口した縦長の結合長孔６ｂと、該結合長孔６ｂの下部両側に開口した結合小孔６ｃ、６ｃとで構成したものであり、その各々の役割も先に述べたとおりである。
【００３５】
また前記金具本体７は、前記し、図１〜図４に示すように、既に説明した後部直立板部１、載置片２、２、上端規制片３、前部規制片４、４、固定片５、５及び取付手段６で構成したものであり、前記のように、この実施例では、ステンレススチールにより一体に構成したものである。
【００３６】
前記背面支持片８は、図１〜図３及び図５に示すように、幅広の上部と幅狭の中部及び下部からなる縦長の金属帯状部材、この実施例では、そのようなステンレススチールの帯状部材である。幅広の上部の幅は、前記載置片２、２に開口した上部取付スリット２ｓ、２ｓの長さを若干越える幅寸法であり、また幅狭の中部及び下部は、連続する同一幅であって、該載置片２、２に開口した上部取付スリット２ｓ、２ｓ及び前記上端規制片３に開口した下部取付スリット３ｓ、３ｓの長さを下回る幅寸法である。該背面支持片８の厚さは、上部から下部まで同一寸法であり、上部取付スリット２ｓ、２ｓ及び下部取付スリット３ｓ、３ｓの幅寸法を下回る寸法である。
【００３７】
従って該背面支持片８は、その中部及び下部を、該載置片２の上方からその上部取付スリット２ｓ及び該上端規制片３の下部取付スリット３ｓに装入可能であり、幅広の上部と幅狭の中部との間の段差部で該載置片２の上部取付スリット２ｓの縁部に係止させることができることになる。
【００３８】
該背面支持片８は、図５(a)、(b)に示すように、その幅広の上部の上端近傍及び下端近傍に結合スリット８ｓ１、８ｓ２を開口してあり、かつ幅狭の下部の上端近傍及び下端近傍に結合スリット８ｓ３、８ｓ４を開口してある。上部の結合スリット８ｓ１、８ｓ２は、上側バネ片８ａを取り付けるための手段であり、下部の結合スリット８ｓ３、８ｓ４は、下側バネ片８ｂ取り付けるための手段である。
【００３９】
以上の上側バネ片８ａは、特に図５(a)、(b)に示すように、逆Ｌ型基部８ａ１と、該逆Ｌ型基部８ａ１の横向き上片部の右下から斜め下前方に延びるバネ片８ａ２と、該逆Ｌ型基部８ａ１の横向き上片部の上端のほぼ中央部から後部上方に延びる上係止片部８ａ３と、該逆Ｌ型基部８ａ１の縦片部下端から直角に後方に延びる下係止片部８ａ４とで構成したものであり、同図に示すように、該上係止片部８ａ３が該背面支持片８の上部の上端近傍の結合スリット８ｓ１に装入係止し、該下係止片部８ａ４が該背面支持片８の上部の下端近傍の結合スリット８ｓ２に装入係止するものである。
【００４０】
なお、上係止片部８ａ３は、図５(a)、(b)に示すように、背面支持片８の厚さ分だけ斜め後ろ上方に延長した上で、垂直上方に屈曲して若干延長するように構成したものであり、下係止片部８ａ４は、直角に後方に延長する係止片本体と該係止片本体の中央に配した返し片とで構成したものである。該返し片は、該係止片本体を結合スリット８ｓ２に装入した場合に，同図に示すように、その先端が該結合スリット８ｓ２の縁部に当接して、該係止片本体の抜け止めとなるものである。
なお、また、以上の上側バネ片８ａ及び下側バネ片８ｂは、その全体を金属バネ材で構成したものである。
【００４１】
前記下側バネ片８ｂは、図５(a)、(b)に示すように、前記上側バネ片８ａを１８０度回転させた構成の部材であり、左右反転させた反転Ｌ型基部８ｂ１と、該反転Ｌ型基部８ｂ１の横向き下片部の左上から斜め上前方に延びるバネ片８ｂ２と、該反転Ｌ型基部８ｂ１の横向き下片部の下端のほぼ中央部から後部下方に延びる下係止片部８ｂ３と、該反転Ｌ型基部８ｂ１の縦片部上端から直角に後方に延びる上係止片部８ｂ４とで構成したものであり、同図に示すように、該下係止片部８ｂ３が該背面支持片８の下部の下端近傍の結合スリット８ｓ４に装入係止し、該上係止片部８ｂ４が該背面支持片８の上端近傍の結合スリット８ｓ３に装入係止するものである。
【００４２】
なお、下係止片部８ｂ３は、図５(a)、(b)に示すように、背面支持片８の厚さ分だけ斜め後ろ下方に延びた上で、下方側に屈曲垂下して若干延びるように構成したものであり、上係止片部８ｂ４は、直角に後方に延びる係止片本体と該係止片本体の中央に配した返し片とで構成したものである。該返し片は、該係止片本体を結合スリット８ｓ３に装入した場合に，同図に示すように、その先端が該結合スリット８ｓ３の縁部に当接して、該係止片本体の抜け止めとなるものである。
【００４３】
前記前側抑え部材９は、前記し、図３(b)及び図６(a)〜(c)に示すように、基本的に、最下部の取付片９ａと、その上端から直角に前方に延びる延長部９ｂと、その前端から立ち上げた左右両側の前部抑え片９ｃ、９ｃとからなり、更に該延長部９ｂの先端中央部分にはその部位から若干立ち上げて後方に水平に延長した間隙規制片９ｄを構成したものである。なお、以上の左右両側の前部抑え片９ｃ、９ｃは、それぞれ左右両側の上方の板状外装材、この実施例では、大型のタイルＴ、Ｔの下部の前側をそれぞれ規制するものである。
【００４４】
前記取付片９ａは、図６(a)に示すように、横長の板状部材であり、その両側に横方向に長い長孔９ａｈ、９ａｈが開口している。該取付片９ａは、前記上端規制片３の両側前部に立ち上げてある固定片５、５に前面から接合し、図３(b)に示すように、その長孔９ａｈ、９ａｈから、それぞれビス１０を挿入し、該各固定片５、の取付孔５ｈ、５ｈにねじ込むことで該取付片９ａを該固定片５、５に固定し、これを通じて該取付片９ａを含む前側抑え部材９を金具本体７の前面に取り付けることができる。なお、該前側抑え部材９は、前記長孔９ａｈ、９ａｈを利用して横方向に動かすことで、横方向の位置関係の調整を行うことができる。
【００４５】
前記延長部９ｂは、図６(b)、(c)に示すように、前記取付片９ａの上端の全範囲から前方に延びる板状の部材であり、その延長幅寸法は、この前側抑え部材９を金具本体７に取り付けた場合に、その前端から立ち上げる前部抑え片９ｃ、９ｃと、前記載置片２及び上端規制片３の上部取付スリット２ｓ及び下部取付スリット３ｓに装入係止される背面支持片８との間の間隔が、これらの間で弾力的に支持される大型のタイルＴの厚さを一定幅だけ越える適正な寸法となるように設定する。別の観点で云うと、該延長部９ｂの延長幅寸法は、この前側抑え部材９を金具本体７に取り付けた場合に、その前端から立ち上げる前部抑え片９ｃ、９ｃと、上端規制片３の前端から垂下する前部規制片４、４とが上下対応する位置関係となるように設定する。
【００４６】
前記前部抑え片９ｃ、９ｃは、図３(b)及び図６(a)〜(c)に示すように、それぞれ前記延長部９ｂの先端から立ち上げた長方形状の板状部材であり、前記のように、この前側抑え部材９を金具本体７に取り付けた場合に、前記載置片２上に載置した大型のタイルＴ、Ｔの下部を確実に支持できる程度の縦横の寸法を有するものとする。
【００４７】
前記間隙規制片９ｄは、図６(a)〜(c)に示すように、平面視で、四辺形の板状部材であり、その横巾は、取付対象の大型のタイルＴ、Ｔ…の目地幅を若干下まわるものとする。
【００４８】
この実施例の板状外装材の取付金具は、以上のように構成したものであり、それ故、トンネルの内壁面１１に、大型のタイルＴ、Ｔ…を地震等でも無用に大きく動くことのないようにタイトに取り付け可能であり、何らかの事情で一部のタイルＴに損傷が生じた場合には、そのタイルＴのみの交換も容易に行うことができる。また前記載置片２、２に掛かるタイルＴ、Ｔの荷重が、地震等の振動又は揺動により拡大されることになっても、これに起因する該載置片２、２の変形等を回避することができる。また、損傷の生じ易い背面支持片８、８を、着脱可能な構成としたため、もしそれらに損傷が生じた場合には、それらのみを交換することが可能である。
【００４９】
トンネルの内壁面１１において、タイルＴ、Ｔ…の配列面の最上部及び最下部には、以上の取付金具とは異なるそれを用いるのが適当であり、以下には、それらに関して説明する。
【００５０】
最上部に用いる取付金具は、図１１〜図１３に示すように、金具本体１７の構成は、先に述べた金具本体７と全く同様の構成であり、それ故、符号も同一部位には同一符号を付して示してある。異なるのは、前記前側抑え部材９と同様の構成の要素を有しないこと及び、図１１〜図１４に示すように、背面支持片１８が、背面支持片８の上部及びこれに付属する上側バネ片８ａと同様の構成を有せず、中部の上端には、載置片２の上部取付スリット２ｓの縁部に係止する係止片部１８ｋを有するのみである点である。背面支持片１８のその他の構成は、背面支持片８と全く同様であり、同様の構成要素には同様の符号を付してある。なお、係止片部１８ｋは、後部側に９０度に折曲した板状の構成要素である。
【００５１】
最下部に用いる取付金具は、図１５〜図１７に示すように、金具本体２７の構成は、先に述べた金具本体７と、上端規制片３の前端に前部規制片４を有しないことのみが異なり、その他の構成は全く同様であり、それ故、同一部位には同一符号を付してある。その他に異なるのは、図１５〜図１８に示すように、背面支持片２８が、背面支持片８の下部と同様の構成を有せず、それ故、下側バネ片８ｂも有せず、中部の下端には上端規制片３の下部取付スリット３ｓの縁に係止する係止片部２８ｋを有するに過ぎないことである。その他の構成は，背面支持片８と全く同様であり、同様の構成には同様の符号を付してある。なお、係止片部２８ｋは、後部側に９０度に折曲した板状の構成要素である。
【００５２】
この実施例では、前記のように、取付対象の板状外装材として、大型のタイルＴ、Ｔ…を適用することにしたものであり、これらをトンネルの内壁面１１に配列固定する例について説明する。
【００５３】
まず初めにトンネルの内壁面１１に必要数の金具本体７、７…を取付固定する。タイルＴ、Ｔ…は、図７に示すように、縦横に配列するものであるが、このような縦横の配列によって生じる目地予定位置のうちの交差状となる部位に、予め金具本体７、７…を取り付けておく。また最上部のＴ字状部には、対応する最上部用の金具本体１７、１７…を取り付け、最下部の逆Ｔ字状部には、対応する最下部用の金具本体２７、２７…を取り付けておく。
【００５４】
以上の金具本体７、１７、２７は、いずれも以上のようにトンネルの内壁面１１に取り付けるに際して、それに予め背面支持片８、８、１８、１８、２８、２８を取り付けておく。金具本体７については、各々背面支持片８、８の中部及び下部を、前記し、図３(a)、(b)に示すように、載置片２、２の上部取付スリット２ｓ、２ｓ及びこれに上下対応する上端規制片３の下部取付スリット３ｓ、３ｓに装入し、上部が載置片２、２上に位置する状態になるように係止しておく。
【００５５】
金具本体１７については、各々背面支持片１８、１８の中部及び下部を、図１１〜図１３に示すように、載置片２、２の上部取付スリット２ｓ、２ｓ及びこれに上下対応する上端規制片３の下部取付スリット３ｓ、３ｓに装入し、中部上端の係止片部１８ｋを載置片２、２の上部取付スリット２ｓ、２ｓの上側の縁部に係止する状態にしておく。
【００５６】
金具本体２７については、各々背面支持片２８、２８の中部を、図１５〜図１７に示すように、載置片２、２の上部取付スリット２ｓ、２ｓ及びこれに上下対応する上端規制片３の下部取付スリット３ｓ、３ｓに装入し、中部下端の係止片部２８ｋを上端規制片３の下部取付スリット３ｓ、３ｓの下側の縁部に係止する状態にしておく。
【００５７】
また金具本体７、１７、２７のトンネルの内壁面１１の前記所定位置への取り付けは、図８〜図１０に示すように、それぞれの後部直立板部１に構成した取付手段６の結合長孔６ｂを通じてアンカーボルト１２を該内壁面１１に予め開口した下穴１１ｈにねじ込み拡張させて固定することで行う。この実施例では、取り付けにアンカーボルト１２を用いたが、これ以外の手段を用いることも自由である。またアンカーボルト１２の種類も限定されないのは言うまでも無い。
なお、この実施例では、金具本体７、１７、２７を、直接にトンネルの内壁面１１に取り付けたが、何らかの介在物を介在させて取り付けることとしても良いのは言うまでも無い。
【００５８】
この後は、タイルＴ、Ｔ…の取り付けを行う。タイルＴの取り付けは、トンネルの内壁面１１のタイル配列予定位置のどの位置から始めることとすることも可能である。例えば、最上部から取り付け始めること、または最下部から取り付け始めることができる。勿論、高さ方向の途中から始めることも可能である。しかしいずれの場合でも、取り付けは横方向の一列ごとに行うこととするのが良い。横方向の一列の取り付けが完了した後、上方又は下方に取り付けを進めることとするのが良い。
【００５９】
これは、中間の金具本体７及び最下部の金具本体２７において、両側の載置片２、２のうち、右側のそれに載置する右側のタイルＴの左下隅及び左側のそれに載置する左側のタイルＴの右下隅の両下隅は、それぞれ該中間の金具本体７又は最下部の金具本体２７に取り付ける一つの前側抑え部材９によって同時にそれらの載置片２、２上に固定されることとなるものであるため、それらのタイルＴ、Ｔは該載置片２、２上に同時に載置状態となっている必要があるからである。
【００６０】
この実施例では、タイルＴ、Ｔ…の取り付けは、最下部から開始することとし、最下部の一列の取り付けが完了してから順次その上方の一列の取り付けを行い、最後に最上部の一列の取り付けを行うこととした。
【００６１】
まず最下部の、例えば、右端のタイルＴから取り付けを開始する。最初に、最下部から一つ上方の右端及びその左隣の二つの金具本体７、７にタイルＴの右上隅及び左上隅を取り付ける。図８(a)、(b)及び図９(c)、(d)に示すように、該タイルＴの右上隅は、その右上隅である右端に位置する金具本体７の上端規制片３の左側部分、対応する前部規制片４及び背面支持片８の下部で囲まれた空間に、左上隅は、左上隅（左隣）の金具本体７の上端規制片３の右側部分、対応する前部規制片４及び背面支持片８の下部で囲まれた空間に、それぞれ下方から装入し、次いで、図８(a)、(b)及び図１０(a)、(b)に示すように、該タイルＴの右下隅は右下隅（右端）に位置する最下部の金具本体２７の左側の載置片２上に、左下隅は左下隅(左隣)に位置する最下部の金具本体２７の右側の載置片２上に、それぞれ載置状態とし、そうした上で、先ず右下隅の金具本体２７に前記前側抑え部材９を取り付け、該タイルＴの右下隅を該右下隅の金具本体２７の載置片２上に固定する。
【００６２】
該前側抑え部材９は、前記し、図８(a)、(b)及び図１０(a)、(b)に示すように、その取付片９ａの裏面側を金具本体２７の両側の固定片５、５の前面に当接させ、その左右上下方向の位置関係を調節した上で、該取付片９ａの長孔９ａｈ、９ａｈを通じて該固定片５、５の取付孔５ｈ、５ｈに前記ビス１０、１０をねじ込むことで取り付け、その前部抑え片９ｃ、９ｃのうち、左側のそれで、左側の載置片２上に載っているタイルＴの右下隅の前面側を抑える。該タイルＴの右下隅の背面側は背後の背面支持片２８の上部に配した上側バネ片８ａによって弾力的に支持される。
【００６３】
この後は、該タイルＴの左側の配列位置に新たなタイルＴを配する。これは、その右上隅を右上隅の金具本体７、すなわち、先に取り付けたタイルＴの左上隅を支持する金具本体７の上端規制片３の左側部分、対応する前部規制片４及び背面支持片８の下部で囲まれた空間に、左上隅を、左上隅の金具本体７の上端規制片３の右側部分、対応する前部規制片４及び背面支持片８の下部で囲まれた空間に、図８(a)、(b)及び図９(c)、(d)に示すように、それぞれ下方から装入し、次いで、図８(a)、(b)及び図１０(a)、(b)に示すように、該タイルＴの右下隅は右下隅の最下部の金具本体２７、すなわち、先に取り付けたタイルＴの左下隅を右側の載置片２で支持する金具本体２７の左側の載置片２上に、左下隅は左下隅に位置する最下部の金具本体２７の右側の載置片２上に、それぞれ載置状態とし、そうした上で、この場合も右下隅の金具本体２７に前記前側抑え部材９を取り付け、該タイルＴの右下隅及び先に載置してあるタイルＴの左下隅を該金具本体２７の載置片２、２上に同時に取り付け固定する。
【００６４】
この前側抑え部材９の取り付けは、先に説明したのと同様に行う。
【００６５】
このようなタイルＴの取り付けは、以上のように、順次、先に取り付けたタイルＴの左側の取り付け位置について行い、これをタイル配列領域の左端まで繰り返し、左端のタイルＴについては、その右下隅の金具本体２７に前側抑え部材９の取り付けを行うばかりで無く、左下隅の金具本体２７への前側抑え部材９の取り付けまでを行い、最下部の一列のタイルＴ、Ｔ…の取り付けを完了する。
【００６６】
この後、最下部の一列のタイルＴ、Ｔ…の上方の各一列のタイルＴ、Ｔ…の取り付けを順次行い、最上部の一列のタイルＴ、Ｔ…の取り付けまで行い、その完了によって、図７に示すように、トンネルの内壁面１１のタイル取付領域への取り付けが完了する。そして、以上の各一列のタイルＴ、Ｔ…の取り付けは、先に説明したのと全く同一の手順で行うことができる。前記したように、最上部に用いる取付金具の金具本体１７の構成及び最下部に用いる取付金具の金具本体２７の構成は、それぞれ実質的に中間部に用いる取付金具の金具本体７から最上部又は最下部では用いる必要のない構成要素を除去したのみであり、それぞれの部位で必要な構成要素は中間部に用いる取付金具の金具本体７と全く同様であるからである。
【００６７】
従って、以上のように、この実施例の板状外装材の取付金具によれば、前記したように、トンネルの内壁面１１への大型のタイルＴ、Ｔ…の取り付けを極めて簡単に行うことが可能である。また各タイルＴ、Ｔ…の各上隅は、金具本体７、１７の上端規制片３、前部規制片４及び背面支持片８、１８の下部で囲まれた空間で保持され、その各下隅は、載置片２、背面支持片８、２８の上部、前側抑え部材９の前部抑え片９ｃで保持されるものであり、いずれも背後側の背面支持片８、２８に配してある下側バネ片８ｂ又は上側バネ片８ａにより弾力的に、従って強い外力が加われば若干の前後方向の動きは許容されるが、タイトと言って良い取り付け状態が確保できるものである。
【００６８】
それ故、地震等の振動や、大型車両の高速通行等による振動又は揺動等で、取り付けてあるタイルＴ、Ｔ…がみだりに動いてしまうようなことは無く、従って、ケンドン式で取り付けた場合のように、タイルＴ、Ｔ…が外れてしまうような問題が生じる虞はない。
【００６９】
また、前記したように、前記載置片２に掛かるタイルＴの荷重が、地震等の振動又は揺動若しくは、大型車両の高速通行等による振動又は揺動等により拡大されることになっても、該載置片２の下方には、前記固定片５が立ち上げてあり、その上端で該載置片２を支えることができるため、これに起因する該載置片２の変形等を回避することができる。
【００７０】
更に中間に配される取付金具の金具本体７及び最下部に配される取付金具の金具本体２７には、これらに取り付けられる前側抑え部材９の二つの前部抑え片９ｃ、９ｃの間に間隙規制片９ｄが配してあるため、それらの左右の載置片２、２上に載置してある左右に隣接するタイルＴ、Ｔ間の間隔を正確に規制することができる。
【００７１】
更にまた、この実施例の板状外装材の取付金具によれば、タイルＴ、Ｔ…は、前記のように、取付金具により、弾力的かつタイトに支持されるものであるが、交通事故その他の何らかの事情で、内壁面１１に配列固定された多数のタイルＴ、Ｔ…のうちの一部に損傷が生じた場合には、その一部のタイルＴのみを取り外し、新たなタイルＴと交換をすることができる。
【００７２】
このような場合には、損傷を生じているタイルＴの右下隅及び左下隅を支持する各取付金具の金具本体７、７（２７、２７）に接合固定している前側抑え部材９、９を取り外すことにより、該タイルＴの右下隅及び左下隅をその取付金具の載置片２、２上から離脱させ、引き続いてそのタイルＴを下方に引くことにより、その右上隅及び左上隅を、各々該当する位置の取付金具の上端規制片３、前部規制片４及び背面支持片８、１８の該当部位で囲まれる空間から引き抜き、こうして、該タイルＴの四隅を対応する目地交差部に位置する取付金具から容易に取り外すことができる。
【００７３】
損傷しているタイルＴを取り外した位置への新しいタイルＴの取り付けは、云うまでもなく、以上の取り外しと逆の操作を行えばよい。
【００７４】
まず新しいタイルＴの左右上隅を、持ち上げつつ、それぞれ対応する、取り外した右上隅の取付金具の金具本体７、１７の上端規制片３の左側、対応する前部規制片４及び背面支持片８、１８の下部で囲まれる空間、及び左上隅の取付金具の金具本体７、１７の上端規制片３の右側、対応する前部規制片４及び背面支持片８の下部で囲まれる空間に装入し、引き続いて左右下隅を、それぞれ対応する、取り外した右下隅の取付金具の金具本体７、２７の左上の載置片２上、又は左下隅の取付金具の金具本体７、２７の右上の載置片２上に載置する。そうした上で、右下隅及び左下隅の各取付金具の金具本体７、２７には、それらの固定片５、５に取付片９ａ、９ａを介して前側抑え部材９、９を取り付け、該タイルＴの右下隅及び左下隅の前面側をそれぞれ該前側抑え部材９、９の前部抑え片９ｃ、９ｃで抑える。こうして損傷したタイルＴを取り除いた部位には、容易に新たなタイルＴを取り付けることができる。
【００７５】
またこのように、背面支持片８、１８、２８を別体に構成したことにより、取付金具の金具本体７、１７、２７は、その載置片２、２又は上端規制片３等にその作成のための切り起こし等の必要がなくなり、この取付金具の金具本体７、１７、２７を小型化し得たものでもある。
【産業上の利用可能性】
【００７６】
本発明の板状外装材の取付金具は、土木建築工事用部材の製造業の分野及び土木及び建築工事の分野で有効に利用することができる。
【符号の説明】
【００７７】
１    後部直立板部
２    載置片
２ｓ  上部取付スリット
３    上端規制片
３ｓ  下部取付スリット
４    前部規制片
５    固定片
５ｈ  取付孔
６    取付手段
６ａ  取付板部
６ｂ  結合長孔
６ｃ  結合小孔
７    金具本体
８    背面支持片
８ａ  上側バネ片
８ａ１  逆Ｌ型基部
８ａ２  バネ片
８ａ３  上係止片部
８ａ４  下係止片部
８ｂ  下側バネ片
８ｂ１  反転Ｌ型基部
８ｂ２  バネ片
８ｂ３  下係止片部
８ｂ４  上係止片部
８ｓ１、８ｓ２  結合スリット
８ｓ３、８ｓ４  結合スリット
９    前側抑え部材
９ａ  取付片
９ａｈ  長孔
９ｂ  延長部
９ｃ  前部抑え片
９ｄ  間隙規制片
１０  ビス
１１  内壁面
１１ｈ  下穴
１２  アンカーボルト
１７  最上部に用いる取付金具の金具本体
１８  最上部に用いる取付金具に取り付ける背面支持片
１８ｋ  係止片部
２７  最下部に用いる取付金具の金具本体
２８  最下部に用いる取付金具に取り付ける背面支持片
２８ｋ  係止片部
Ｔ    タイル
【図１】
2014077250.tif 000003
【図２】
2014077250.tif 000004
【図３】
2014077250.tif 000005
【図４】
2014077250.tif 000006
【図５】
2014077250.tif 000007
【図６】
2014077250.tif 000008
【図７】
2014077250.tif 000009
【図８】
2014077250.tif 000010
【図９】
2014077250.tif 000011
【図１０】
2014077250.tif 000012
【図１１】
2014077250.tif 000013
【図１２】
2014077250.tif 000014
【図１３】
2014077250.tif 000015
【図１４】
2014077250.tif 000016
【図１５】
2014077250.tif 000017
【図１６】
2014077250.tif 000018
【図１７】
2014077250.tif 000019
【図１８】
2014077250.tif 000020